(57)【要約】      （修正有）【課題】カラー索引機能を具備したかばんを提供する。【解決手段】このかばんは、収容空間を有する収容本体３１と、それぞれ一遊離側辺３２を有し、かつ、該収容本体内に設置され、該収容本体の収容空間を複数の収容区間に区画する複数の仕切板と、それぞれ索引構造自体と相対応する該仕切板の該遊離側辺に接続されると共に不同顔色を有する特定の顔色組合３４に形成され、これにより複数の収容区間の索引機能を提供する複数の索引構造３３とを備えてなる。【選択図】図３
2004267379.tif 000002
【特許請求の範囲】
【請求項１】
索引機能を具備したかばんであって、
収容空間を有する収容本体と、
それぞれ一遊離側辺を有し、かつ前記収容本体内に設置され、該収容本体の収容空間を複数の収容区間に区画する複数の仕切板と、
それぞれ索引構造自体と相対応する前期仕切板の前記遊離側辺に接続されると共に不同顔色を有する特定の顔色組合に形成され、これにより複数の収容区間の索引機能を提供する複数の索引構造と、
を備えてなることを特徴とするカラー索引かばん。
【請求項２】
前記特定の顔色組合とは虹型式の顔色組合のことである請求項１記載のカラー索引かばん。
【請求項３】
前記仕切り板と、それと相対応する前期索引構造とは同一の顔色を有すると共に、一体成形されていることを特徴とする請求項１記載のカラー索引かばん。
【請求項４】
前記複数の仕切板はそれぞれ異なったサイズを有し、そして前記各仕切板はそれぞれ前記収容本体の両側に固定される両対辺を有することを特徴とする請求項１記載のカラー索引かばん。
【請求項５】
前記複数の索引構造はそれぞれ不同の形状及び不同のサイズを有する請求項１記載のカラー索引かばん。
【請求項６】
前記収容本体は、半透明又は透明の材質により製造されている請求項１記載のカラー索引かばん。
【請求項７】
前記収容本体はさらに、前記特定の顔色組合を展示する開孔を備え、この収容本体は不透明の材質により製造されている請求項１記載のカラー索引かばん。
【請求項８】
前記索引構造は、索引ストリップ・カードが差込み可能な索引構造である請求項１記載のカラー索引かばん。
【請求項９】
索引機能を具備したかばんであって、
収容本体と、
前記収容本体を複数の収容区間に区画するように該収容本体内に設置され、そしてそれぞれ不同顔色及び不同サイズを有することにより一特定の顔色パターン組合を形成して、該複数の収容区間の索引機能を提供する複数の仕切板と、
を備えてなることを特徴とするカラー索引かばん。
【発明の詳細な説明】
【０００１】
【発明の属する技術分野】
本発明は、かばんに関し、特に、カラー索引機能を具備したかばんに関する。
【０００２】
【従来の技術】
データの処置及び管理は、あまたの情報商務従業者にとって正に最も困難な事柄である。その訳は、これら情報商務従業者はデータ処理時に往々データの特性、期日、時間、住所、電話番号、名刺及びその他の一般性の情報に対して分類及び管理等を行い、すなわち索引の機能を利用してあらゆるデータに対して尤も効果的な収集及び管理を行わなければならないからである。
【０００３】
このために、これらの関連作業を行う時、多くの装置が情報商務従業者に提供されている。その一例として、かばんに複数の索引機能を具備した仕切板を差し込んでデータを整理するデータ整理装置が汎用されている。
【０００４】
このようなかばん構造は、特に多くの学生及び商務人員の熟知とするところであり、これら工具の協助により課業筆記を学課別に整理し、かつ報告を章節に基づいて分類すると共に、企画案を区段に基づいて整理することができる。そして、データ処理の工作はこれら工具により、一層簡単容易に行われる。
【０００５】
図１は従来技術による、複数の索引仕切板を具備したかばんを示す図である。図に示すように、該かばん１は、ケーシング本体１１と、該ケーシング本体１１に粘着された複数の仕切板１２と、該仕切板１２の一遊離側辺から延出され、必要な索引機能を提供する複数の索引装置１３とを備えてなるものである。
【０００６】
しかしながら、この従来の技術によれば、あらゆる複数個の索引装置１３が皆一緒に集中すると、使用者は直接各索引装置を判断、区分できず、索引装置１３の機能が顕現できない。
【０００７】
また、図２は従来技術による複数の索引仕切板を具備したかばんの他の例を示す図である。図に示すように、該かばん２はケーシング本体２１と、該ケーシング本体に粘着された複数の仕切板２２と、該仕切板２２の一遊離側辺から延出され、必要な索引機能を提供する複数の索引措置２３とを備えてなるものである。
【０００８】
【発明が解決しようとする課題】
しかしながら、この従来の技術によれば、あらゆる複数個の索引装置２３が皆一緒に集中して置かれると、すべての仕切板及び索引装置の形状及び顔色が同一であることから、使用者は直接各索引装置２３を判断・区分できず、索引装置２３の機能が顕現できない。
【０００９】
この場合、使用者が一歩進んで直接かつ明確に各索引装置を区別しようとすると、使用者は自分で索引装置にさらに他の索引素子を加えて区別しなければならない。ところがこのようにすれば往々使用者に不便をもたらすと共に、該かばんの実用性が低下してしまうこととなる。
【００１０】
したがって、直接判別できる索引素子を有し、使用者の需要に供し自分で別に部品を付加しなくても良い索引かばんが切に要望されている。
本出願人は、上記事情に鑑み、鋭意試験と研究を重ねた結果、ついに本発明のカラー索引かばんを案出した。
【００１１】
【課題を解決するための手段】
本発明の主たる目的は、異なった色の仕切板及び索引構造により、かばんを複数の収容区間に区画して索引構造をより特定な顔色の組合に形成させ、使用者が使用時直接各索引装置を判断かつ区分できる、カラー索引の機能を具備したかばんを提供することにある。
【００１２】
上記目的を達成するためのカラー索引の機能を具備したかばんは、
収容空間を有する収容本体と、それぞれ一遊離側辺を有し、かつ前記収容本体内に設置され、該収容本体の収容空間を複数の収容区間に区画する複数の仕切板と、それぞれ索引構造自体と相対応する該仕切板の前記遊離側辺に接続されると共に不同顔色を有する特定の顔色組合に形成され、これにより複数の収容区間の索引機能を提供する複数の索引構造とを備えてなる。
【００１３】
上記アイデアによれば、本発明のカラー索引かばんにおいて、該各仕切板は両対辺を有し、それぞれ該収容本体の両側に固定され、そして該特定の顔色組合とは虹型式の顔色組合を指して言う。
【００１４】
また、上記アイデアによれば、本発明のカラー索引かばんにおいて、該複数の仕切り板はそれぞれ相似した形状を有する。
【００１５】
また、上記アイデアによれば、該複数の仕切板はそれぞれ一遊離側辺と、該遊離側辺に設置された索引構造とを備えてなり、その中外複数の索引構造はそれぞれ特定の顔色組合を形成する不同顔色を有している。
【００１６】
また上記アイデアによれば、該各仕切板とそれと相対応する該索引構造とは同一の顔色を有すると共に一体に成形されている。
【００１７】
また上記アイデアによれば、該複数の索引構造はそれぞれ異なったサイズを有している。
【００１８】
また上記アイデアによれば、本発明のカラー索引かばんにおいて、該収容本体は、半透明又は透明もしくは不透明の材質により製造されてなり、そして、この収容本体はさらに、該特定の顔色組合を展示する開孔を備えている。
【００１９】
また上記アイデアによれば、本発明のカラー索引かばんにおいて、該索引構造は、索引ストリップ・カードが差し込み可能な索引構造であり、この差し込み可能な索引ストリップ・カードは索引ストリップ・カードを挟持する折畳みジグである。
【００２０】
このように、上記に開示された技術的手段によれば、不同顔色の仕切板及び索引構造により、かばんを複数の収容区間に区画して索引構造をより特定な顔色の組合に形成させ、使用者が使用時直接各索引装置を判断かつ区分できる。
本発明は、以下の添付図面を参照しながら実施例を説明することにより、より深く理解できる。
【００２１】
【発明の実施の形態】
本発明の主たる目的は、異なった色の仕切板及び索引構造により、かばんを複数の収容区間に区画して索引構造をより特定な顔色の組合に形成させ、使用者が使用時直接各索引装置を判断・区分して索引機能の効率を向上させる、カラー索引機能を具備したかばんを提供することにある。
【００２２】
図３（ａ）（ｂ）は、本発明のカラー索引機能を具備したかばんの実施例を示す図である。この図３（ａ）（ｂ）において、カラー索引機能を具備したかばん３は、収容空間を具備した収容本体３１と、それぞれ遊離側辺３２１を有すると共に収容本体３１内に設置され、収容本体３１の収容空間を複数の収容区間３２２に区画する複数の仕切板３２と、それぞれ索引構造自体と相対応する仕切板３２の遊離側辺３２上に接続され、それぞれ不同顔色で特定の顔色組合３４を形成して複数の収容区間３２２の索引機能を提供する複数の索引構造３３とを備えてなる。
【００２３】
また、本実施例における各仕切板３２は両対辺３２３を有し、それぞれ収容本体３１の両側に固定されている。なお、本実施例において、特定の顔色組合３４とは虹型式の顔色組合を指して言う。
【００２４】
そして、各仕切板３２及びそれと相対応する索引構造３３は、当然同一の顔色であってもよい。また、各仕切板３２及びそれと相対応する索引構造３３は、図３（ａ）に示すように一体に成形されても良い。また、この実施例においては、複数の仕切板３２は不同形状及び不同サイズの仕切板が使用され、そして複数の索引構造３３は図３（ｂ）に示すようにそれぞれ不同の形状及び不同のサイズにして、特定の顔色パターン３４に形成されている。
【００２５】
また、本実施例の収容本体３１は、伸縮可能な収容キャリヤであり、特定の顔色パターンを顕現させるために半透明又は透明材質により製造されている。この他に、収容本体３１はさらに、該特定の顔色組合３４を展示する開孔３５を備えてもよい。
【００２６】
この場合、収容本体３１は不透明材質により製造されている。また、索引構造３３は索引ストリップ・カードが差込み可能な索引構造にしてもよく、この場合、この索引ストリップ・カードが差し込み可能な索引構造は索引ストリップ・カード３６を挟持する折畳みジグである。
【００２７】
次に、図４（ａ）（ｂ）は、本発明のカラー索引機能を具備したかばんの第２の実施例を示す図である。図４に示すように、カラー索引かばん４は、収容本体４１と、収容本体４１内に設置され、収容本体４１の収容空間を複数の収容区間４２１に区画すると共に、それぞれ不同顔色及び不同サイズで特定の顔色組合４４を形成して複数の収容区間４２１の索引機能を提供する複数の仕切板４２とを備えてなる。
【００２８】
その中、各仕切板４２は両対辺４２２を有し、それぞれ収容本体４１の両側に固定されている。なお、本実施例において、特手の顔色組合４４とは虹型式の顔色組合を指して言う。当然、これら複数の仕切板４２はそれぞれ相似した形状に形成されている。
【００２９】
そして、該複数の仕切板４２はそれぞれさらに、遊離側辺と、この遊離側辺に設置された索引構造を有している。また、この実施例においては、複数の索引構造はそれぞれ不同の顔色で特定の顔色組合に形成されている。
【００３０】
また、該特定パターン４４を顕現させるために本実施例の収容本体４１は同様に半透明又は透明材質により製造されることができる。この他に、収容本体４１はさらに、該特定の顔色組合４４を展示する開孔４５を備えても良い。この場合、収容本体４１は不透明材質により製造されている。また、開孔４５と索引構造との作用により、係合固定の効果を生ずる。
【００３１】
要するに、本発明によるカラー索引かばんは、不同顔色の仕切板と索引構造とにより、かばんを複数の収容区間に区画して索引構造をより特定な顔色組合に形成させ、使用者が使用時直接各索引装置を判断かつ区分できる効果を有する。
【００３２】
ちなみに、上記実施例は本発明の技術的手段をより具体的に理解できるように例として挙げたもので、当然、本発明の技術的思想はこれに限定されるべきでなく、添付クレームの範囲を逸脱しないかぎり、当業者による単純な設計変更、付加、置換等は、いずれも本発明の技術的範囲に属する。
【図面の簡単な説明】
【図１】従来の技術による、複数の索引仕切板を具備したかばんを示す図である。
【図２】従来の技術による、複数の索引仕切板を具備したかばんの他の例を示す図である。
【図３】（ａ）は、本発明のカラー索引機能を具備したかばんの第１の実施例を示す立体図、（ｂ）は、本発明のカラー索引機能を具備したかばんの第１の実施例を示す正視図である。
【図４】（ａ）は、本発明のカラー索引機能を具備したかばんの第２の実施例を示す立体図、（ｂ）は、本発明のカラー索引機能を具備したかばんの第２の実施例を示す正視図である。
【符号の説明】
１      かばん
２      かばん
１１    ケーシング本体
１２    仕切板
１３    索引装置
２１    ケーシング本体
２２    仕切板
２３    索引措置
３１    収容本体
３２    仕切板
３２    遊離側辺
３３    索引構造
３４    顔色パターン
３５    開孔
３６    索引ストリップ・カード
【図１】
2004267379.tif 000003
【図２】
2004267379.tif 000004
【図３】
2004267379.tif 000005
【図４】
2004267379.tif 000006